(57)【要約】      （修正有）【課題】住宅等の窓開口部に設けるサッシと室内側の部材との納まりを綺麗に仕上げるサッシ見切縁であって、下地材にベニアや木材を使用することなく、石膏ボードを使用することによって、面倒な施工を簡単化し、また下地材の反りや害虫の問題を解消するようにしたサッシ見切縁を提供する。【解決手段】窓開口部２に設けたサッシ枠３と室内部材４との納まりを仕上げる化粧材として使用するサッシ見切縁１において、合成樹脂によって形成したサッシ見切縁の断面形状が、窓開口部の側部の高さ方向に間隔をあけて配置した木レンガ１１に接着剤で固定するようにした平坦状の背面５と、サッシ枠の端部を取り付けるサッシ枠取付溝７と、サッシ枠取付溝の室内側に突出した突出縁部８と、突出縁部と背面との間に石膏ボード１０の端部を差し込む溝幅を有するボード差込開口９とを形成してなる。【選択図】図１
0003186221.tif 000002
【実用新案登録請求の範囲】
【請求項１】
窓開口部に設けたサッシ枠と室内部材との納まりを仕上げる化粧材として使用するサッシ見切縁において、合成樹脂によって形成したサッシ見切縁の断面形状が、窓開口部の側部の高さ方向に間隔をあけて配置した木レンガに接着剤で固定するようにした平坦状の背面と、サッシ枠の端部を取り付けるサッシ枠取付溝と、該サッシ枠取付溝の室内側に突出した突出縁部と、該突出縁部と背面との間に石膏ボードの端部を差し込む溝幅を有するボード差込開口とを形成してなることを特徴とするサッシ見切縁。
【請求項２】
サッシ見切縁に設けられた突出縁部の室内側の幅が、少なくとも壁面下部に設ける巾木の厚さよりも大きく形成されていることを特徴とする請求項１記載のサッシ見切縁。
【考案の詳細な説明】
【技術分野】
【０００１】
本考案は、住宅等の窓開口部に設けるサッシと室内側の部材との納まりを綺麗に仕上げるサッシ見切縁に関する。
【背景技術】
【０００２】
近年においては、住宅等の窓開口部にサッシを設けることが一般的に行われている。このようにサッシを設ける窓開口部においては、サッシと室内側の部材との納まりを綺麗に仕上げる化粧材として、サッシ見切縁が使用されている。
【０００３】
このサッシ見切縁の従来例として、特許文献１に示す「見切縁の取付け構造」は、建物における内壁面よりも室外側に突出した位置にサッシ枠を設け、サッシ枠と内壁面との間の上部及び両側部に壁下地材を固定し、サッシ枠と壁下地材との接続部に見切縁を固設した構成を有するものである。
【０００４】
上記の構成において、サッシ枠は、このサッシ枠に生じた結露水が壁下地材へ移行するのを防止するために、サッシ枠の端部が、建物における内壁面よりも室外側に突出した構成とされている。
【０００５】
ところで、一般に、窓開口部の納まりとしては、窓開口部の室内側に突起部を有しないフラットな納まりとするのが望ましい。このため、従来のサッシ枠２０は、図３に示すように、サッシ枠２０の室内側端部を窓開口部２１の側面に沿って並行に形成し、見切縁２２に形成した段差２３にサッシ枠２０の端部を嵌め込む構成とすることによって、サッシ枠２０が室内側へ突出しない構成としている。
【０００６】
そのため、上記の見切縁２２は、図３及び図４に示すように、下地材２４へ接着する背面２５と、室内側からサッシ枠２０の端部が見えないように側面へ突出する凸部２６と、サッシ枠２０の端部を嵌め込む段差２３とを有する薄型の形状としている。
【０００７】
ところで、図４に示す見切縁２２を用いて、図３の下地材２４へ固定する際には、見切縁２２の表側から間隔をあけてサッシビス２７で固定をする。ところが、上記のように見切縁２２が薄い部材であるため、サッシビス２７の効き具合が悪いという問題があった。
【０００８】
また、そのような問題を解消するため、施工現場では、下地材２４としてベニア又は木材を用い、この下地材２４に見切縁２２を両面テープ（不図示）で接着した後、上記のように複数のサッシビス２７で間隔をあけて固定するという作業を行っていたが、この作業が非常に面倒であった。また、上記のように、下地材２４にベニアや木材を使用すると、反りや害虫が発生しやすいという問題があった。
【先行技術文献】
【特許文献】
【０００９】
【特許文献１】特開２００１−６５２４８号公報
【考案の概要】
【考案が解決しようとする課題】
【００１０】
本考案は上記のような事情に鑑みてなされたものであり、住宅等の窓開口部に設けるサッシと室内側の部材との納まりを綺麗に仕上げるサッシ見切縁であって、下地材にベニアや木材を使用することなく石膏ボードを使用することによって、面倒な施工を簡単化し、また下地材の反りや害虫の問題を解消するようにしたサッシ見切縁を提供することを目的とする。
【課題を解決するための手段】
【００１１】
上記の目的を達成するために、本考案における請求項１のサッシ見切縁は、窓開口部に設けたサッシ枠と室内部材との納まりを仕上げる化粧材として使用するサッシ見切縁において、合成樹脂によって形成したサッシ見切縁の断面形状が、窓開口部の側部の高さ方向に間隔をあけて配置した木レンガに接着剤で固定するようにした平坦状の背面と、サッシ枠の端部を取り付けるサッシ枠取付溝と、該サッシ枠取付溝の室内側に突出した突出縁部と、該突出縁部と背面との間に石膏ボードの端部を差し込む溝幅を有するボード差込開口とを形成してなることを特徴とする。
【００１２】
また、本考案における請求項２のサッシ見切縁は、請求項１において、サッシ見切縁に設けられた突出縁部の室内側の幅が、少なくとも壁面下部に設ける巾木の厚さよりも大きく形成されていることを特徴とする。
【考案の効果】
【００１３】
本考案のサッシ見切縁は、住宅の窓開口部に設けたサッシと室内部材との納まりを仕上げる化粧部材として使用するものである。このサッシ見切縁の断面形状は、平坦状の背面と、サッシ枠の端部を取り付けるサッシ枠取付溝と、該サッシ枠取付溝の室内側に突出した突出縁部と、該突出縁部と背面との間に石膏ボードの端部を差し込む溝幅を有するボード差込開口とを形成してなるものである。
【００１４】
このような構成において、本考案のサッシ見切縁は、平坦状の背面を窓開口部の側部の高さ方向に間隔をあけて配置した木レンガに接着剤で固定することによって取り付けることが可能となるように構成されている。
【００１５】
また、本考案のサッシ見切縁に形成されたサッシ枠取付溝は、開口窓側に形成される段差形状であってサッシ枠の端部を嵌合することができるため、このサッシ枠取付溝にサッシ枠の端部を嵌合することにより、サッシ枠が窓の開口側へ突出することがなく、サッシ枠と突出縁部とが窓の開口側へ同一面を形成した納まりとなる。
【００１６】
さらに、本考案のサッシ見切縁に形成されたボード差込開口は、石膏ボードの端部を差し込む溝幅を有するボード差込開口を形成してあり、このボード差込開口に壁材である石膏ボードの端部を差し込んで嵌合することが可能である。
【００１７】
従って、本考案のサッシ見切縁を使用することにより、ベニアや木材等の壁下地材が不要であり、サッシ見切縁のサッシ枠取付溝に、サッシ枠の端部を、直接、サッシビスで固定した後、石膏ボードをサッシ見切縁のボード差込開口に取付けることが可能となる。
【００１８】
また、本考案のサッシ見切縁は合成樹脂により形成してあり、反りや害虫による問題が発生しない壁材として石膏ボードを使用することが可能である。従って、本考案によれば、施工が簡単であり、水に強く、結露やカビ等が発生せず、さらに反りや害虫の問題も発生しない壁構造を構成することが可能となる。
【図面の簡単な説明】
【００１９】
【図１】本考案の実施例におけるサッシ見切縁を使用した窓開口部の端部の構造を示す断面図である。
【図２】本考案の実施例におけるサッシ見切縁の端面を示す図であり、（ａ）はサッシ見切縁の単品を示す斜視図であり、(ｂ)はサッシ見切縁に壁材としての石膏ボードを取り付けた状態で示す側面図である。
【図３】従来のサッシ見切縁を使用した窓開口部の端部の構造を示す断面図である。
【図４】従来のサッシ見切縁の単品を示す斜視図である。
【考案を実施するための形態】
【００２０】
以下、本考案の実施形態について図面を参照しながら説明する。
【実施例】
【００２１】
本実施例のサッシ見切縁１は、図１に示すように、住宅の窓開口部２に設けたサッシ枠３と室内部材４との納まりを仕上げる化粧部材として使用するものである。なお、図１において、開口窓１２には、室内の内壁面１３よりも室外側に突出した位置にサッシＳを構成するサッシ枠３を設け、サッシ枠３の端部３ａにサッシ見切縁１を取り付けたものである。
【００２２】
このサッシ見切縁１は、図２(ａ)(ｂ)に示す断面形状を有する長尺部材として形成されている。その断面形状は、図１又は図２(ａ)(ｂ)に示すように、平坦状の背面５と、開口窓１２側に形成されるサッシ枠取付溝７と、サッシ枠取付溝７の室内側に突出した突出縁部８と、突出縁部８と背面５との間に石膏ボード１０の端部を差し込む幅を有するボード差込開口９とを形成した構成を有する。
【００２３】
このような構成について詳細に述べると、図１に示すように、本実施例のサッシ見切縁１は、硬質樹脂等の合成樹脂材料により形成してあり、平坦状の背面５を窓開口部２の側部の高さ方向に間隔をあけて配置した複数の木レンガ１１に接着剤で固定することによって取り付けることが可能である。なお、木レンガとは、木材を煉瓦の形に加工したブロック状の材料である。
【００２４】
また、本実施例のサッシ見切縁１に形成されたサッシ枠取付溝７は、図１に示すように、開口窓１２側に形成される段差形状であってサッシ枠３の端部３ａを取り付ける構成とされている。このような構成において、サッシ枠取付溝７にサッシ枠３の端部３ａを取り付けることにより、サッシ枠３が開口窓１２側へ突出することがなく、サッシ枠３と突出縁部８とが開口窓１２側へ同一面を有する納まりとするようにしている。
【００２５】
さらに、本実施例のサッシ見切縁１に形成されたボード差込開口９は、図１または図２(ａ)に示すように、石膏ボード１０の端部を差し込む溝幅Ｌ１を有するボード差込開口９を形成してあるため、図２(ｂ)に示すように、このボード差込開口９に壁材である石膏ボード１０の端部を差し込んで嵌合する。
【００２６】
このような構成において、ボード差込開口９及びボード差込開口９に隣設した側面９ａに接着剤を塗布することによって、ボード差込開口９に差し込んだ石膏ボード１０を固定することが可能である。
【００２７】
上記のように、本実施例のサッシ見切縁１を使用することにより、ベニアや木材等の壁下地材が不要であり、図１に示すように、サッシ見切縁１のサッシ枠取付溝７に、サッシ枠３の端部３ａを、直接、サッシビス６で固定した後、石膏ボード１０をサッシ見切縁１のボード差込開口９に取付けることが可能となる。
【００２８】
また、本実施例において、図２（ａ）(ｂ)に示すように、サッシ見切縁１に設けられた突出縁部８の室内側の幅Ｌ２が、少なくとも壁面下部に設ける巾木１４の厚さよりも大きく形成されている。
【００２９】
具体的数値で示すと、例えば、図２(ａ)に示す突出縁部８の室内側の幅Ｌ２を８ｍｍとし、図２(ｂ)に示す巾木１４の厚さＬ３を７ｍｍとし、その差１ｍｍの範囲内に石膏ボード１０の表面に張り付けるクロス材１５を納めることによって、突出縁部８の室内側の幅Ｌ２に巾木１４の端部が突出することなく奇麗に納めることが可能となる。
【産業上の利用可能性】
【００３０】
本考案のサッシ見切縁は、住宅等の窓開口部に設けるサッシと室内側の部材との納まりを綺麗に仕上げるサッシ見切縁であって、下地材にベニアや木材を使用することなく、石膏ボードを使用することによって、面倒な施工を簡単化し、また下地材の反りや害虫の問題を解消するようにしたサッシ見切縁として利用することが可能である。
【符号の説明】
【００３１】
１  サッシ見切縁
２  窓開口部
３  サッシ枠
３ａ  サッシ枠の端部
４  室内部材
５  背面
６  サッシビス
７  サッシ枠取付溝
８  突出縁部
９  ボード差込開口
９ａ  ボード差込開口に隣設した側面
１０  石膏ボード
１１  木レンガ
１２  開口窓
１３  内壁面
１４  巾木
１５  クロス材
Ｓ  サッシ
Ｌ１  石膏ボードの端部を差し込む溝幅
Ｌ２  突出縁部の室内側の幅
Ｌ３  巾木の厚さ
【図１】
0003186221.tif 000003
【図２】
0003186221.tif 000004
【図３】
0003186221.tif 000005
【図４】
0003186221.tif 000006